(57)【特許請求の範囲】
【請求項１】
ワイヤハーネスの中間部において当該ワイヤハーネスが有するアース線に接続されるアース端子と、前記ワイヤハーネスに取り付けられるとともに、前記アース端子を保持する端子保持部材と、を備えたアース端子ユニットであって、
前記アース端子が、締結部材により取付対象物に、間に介在物を挟まずに直接に固定される被固定部を有し、
前記端子保持部材が、前記ワイヤハーネスの外周面に取り付けられるワイヤハーネス支持部と、前記ワイヤハーネスに対して前記被固定部が突出するように前記アース端子を保持する端子保持部と、を一体に有し、
前記アース端子又は前記端子保持部材の少なくとも一方には、前記取付対象物に係止する係止部が設けられており、
前記アース端子が、前記被固定部に連なり、かつ、前記アース線と接続される電線接続部をさらに有し、
前記端子保持部が、前記被固定部を挿通可能な空間を画定し、かつ、前記空間への前記被固定部に続く前記電線接続部の挿通を規制する
ことを特徴とするアース端子ユニット。
【請求項２】
ワイヤハーネスの中間部において当該ワイヤハーネスが有するアース線に接続されるアース端子と、前記ワイヤハーネスに取り付けられるとともに、前記アース端子を保持する端子保持部材と、を備えたアース端子ユニットであって、
前記アース端子が、締結部材により取付対象物に固定される被固定部を有し、
前記端子保持部材が、前記ワイヤハーネスの外周面に取り付けられるワイヤハーネス支持部と、前記ワイヤハーネスに対して前記被固定部が突出するように前記アース端子を保持する端子保持部と、を一体に有し、
前記アース端子又は前記端子保持部材のうち少なくとも前記アース端子には、前記取付対象物に係止する係止部が設けられており、
前記アース端子が、前記被固定部に連なり、かつ、前記アース線と接続される電線接続部をさらに有し、
前記端子保持部が、前記被固定部を挿通可能な空間を画定し、かつ、前記空間への前記被固定部に続く前記電線接続部の挿通を規制する
ことを特徴とするアース端子ユニット。
【請求項３】
前記係止部が、前記アース端子及び前記端子保持部材の両方に設けられていることを特徴とする請求項１又は２に記載のアース端子ユニット。
【請求項４】
前記電線接続部が前記ワイヤハーネスの長手方向に沿って延びていることを特徴とする請求項１〜３のうち何れか一項に記載のアース端子ユニット。
【発明の詳細な説明】
【技術分野】
【０００１】
本発明は、アース端子と、アース端子を保持し、ワイヤハーネスに取り付けられる端子保持部材と、を備えたアース端子ユニットに関する。
【背景技術】
【０００２】
従来、ワイヤハーネスのアース線を車体に固定して接続するためのアース端子ユニットが種々提案されている（例えば、特許文献１参照）。特許文献１に記載されたアース端子ユニット７００は、図８に示すように、ワイヤハーネスＷから引き出されたアース線に接続されたアース端子７０１と、このアース端子７０１を保持した状態でワイヤハーネスＷに取り付けられるワイヤハーネス用ボルト締めクリップ７０２と、を備えて構成され、固定ボルト７０３により車体に固定されるものである。
【先行技術文献】
【特許文献】
【０００３】
【特許文献１】実開平６−６８３０９号公報
【発明の概要】
【発明が解決しようとする課題】
【０００４】
ワイヤハーネス用ボルト締めクリップ７０２は、アース端子７０１における装着孔７１１が形成された一端部を収容するアース端子収容部７２１と、ワイヤハーネスＷに取り付けられる取付部７２２と、を一体に有している。アース端子収容部７２１は、アース端子７０１が挿入される挿入口７２３と、固定ボルト７０３が挿通される装着孔７２４と、を有している。アース端子７０１の一端部を挿入口７２３から挿入して、アース端子収容部７２１に収容すると、アース端子７０１の装着孔７１１と、ワイヤハーネス用ボルト締めクリップ７０２の装着孔７２４と、が同心円状に重なるように構成されている。固定ボルト７０３をこれら装着孔７１１及び装着孔７２４に挿通して車体に締結することで、アース端子７０１とワイヤハーネス用ボルト締めクリップ７０２とを同時に車体に固定することができる。
【０００５】
しかしながら、アース端子ユニット７００においては、締結部材である固定ボルト７０３を用いて固定するときに、ワイヤハーネスＷを手などで保持しながら、固定ボルト７０３を締結する必要があり、作業性が悪いという問題があった。
【０００６】
従って、本発明は、上記のような問題点に着目し、締結部材により固定するときの作業性を良好にすることができるアース端子ユニットを提供することを目的とする。
【課題を解決するための手段】
【０００７】
上記課題を解決するために、請求項１に記載された発明は、ワイヤハーネスの中間部において当該ワイヤハーネスが有するアース線に接続されるアース端子と、前記ワイヤハーネスに取り付けられるとともに、前記アース端子を保持する端子保持部材と、を備えたアース端子ユニットであって、前記アース端子が、締結部材により取付対象物に、間に介在物を挟まずに直接に固定される被固定部を有し、前記端子保持部材が、前記ワイヤハーネスの外周面に取り付けられるワイヤハーネス支持部と、前記ワイヤハーネスに対して前記被固定部が突出するように前記アース端子を保持する端子保持部と、を一体に有し、前記アース端子又は前記端子保持部材の少なくとも一方には、前記取付対象物に係止する係止部が設けられており、前記アース端子が、前記被固定部に連なり、かつ、前記アース線と接続される電線接続部をさらに有し、前記端子保持部が、前記被固定部を挿通可能な空間を画定し、かつ、前記空間への前記被固定部に続く前記電線接続部の挿通を規制することを特徴とするアース端子ユニットである。
また、請求項２に記載された発明は、ワイヤハーネスの中間部において当該ワイヤハーネスが有するアース線に接続されるアース端子と、前記ワイヤハーネスに取り付けられるとともに、前記アース端子を保持する端子保持部材と、を備えたアース端子ユニットであって、前記アース端子が、締結部材により取付対象物に固定される被固定部を有し、前記端子保持部材が、前記ワイヤハーネスの外周面に取り付けられるワイヤハーネス支持部と、前記ワイヤハーネスに対して前記被固定部が突出するように前記アース端子を保持する端子保持部と、を一体に有し、前記アース端子又は前記端子保持部材のうち少なくとも前記アース端子には、前記取付対象物に係止する係止部が設けられており、前記アース端子が、前記被固定部に連なり、かつ、前記アース線と接続される電線接続部をさらに有し、前記端子保持部が、前記被固定部を挿通可能な空間を画定し、かつ、前記空間への前記被固定部に続く前記電線接続部の挿通を規制することを特徴とするアース端子ユニットである。
【０００８】
請求項３に記載された発明は、請求項１又は２に記載された発明において、前記係止部が、前記アース端子及び前記端子保持部材の両方に設けられていることを特徴とするものである。
【００１０】
請求項４に記載された発明は、請求項１〜３のうち何れか一項に記載された発明において、前記電線接続部が、前記ワイヤハーネスの長手方向に沿って延びていることを特徴とするものである。
【発明の効果】
【００１１】
請求項１，２に記載された発明によれば、アース端子が、締結部材により取付対象物に固定される被固定部を有し、端子保持部材が、ワイヤハーネスの外周面に取り付けられるワイヤハーネス支持部と、前記ワイヤハーネスに対して前記被固定部が突出するように前記アース端子を保持する端子保持部と、を一体に有し、前記アース端子又は前記端子保持部材の少なくとも一方には、前記取付対象物に係止する係止部が設けられている。このことから、アース端子を取付対象物に取り付けるときに、締結部材による固定前に係止部を取付対象物に係止させて仮固定することができるので、ワイヤハーネスを手などで保持しておく必要がなくなり、そのため、締結部材を用いて固定するときの作業性を良好にすることができる。また、アース端子ユニットを取付対象物に係止させることができるので、締結部材によりアース端子を取付対象物に固定するときにアース端子ユニットに力が加わった場合でも、アース端子ユニットが移動してしまうことを防止することができる。
また、請求項１，２に記載された発明によれば、前記アース端子が、前記被固定部に連なり、かつ、前記アース線と接続される電線接続部をさらに有し、前記端子保持部が、前記被固定部を挿通可能な空間を画定し、かつ、前記空間への前記被固定部に続く前記電線接続部の挿通を規制する。このことから、アース端子の被固定部を空間に挿通するときに、アース端子が挿通方向及びワイヤハーネス支持部から離れる方向に移動して抜け落ちてしまうことを防止することができ、アース端子を所定の位置に位置付けやすくすることができる。
【００１２】
請求項３に記載された発明によれば、前記係止部が、前記アース端子及び前記端子保持部材の両方に設けられている。このことから、アース端子を取付対象物に取り付けるときに、締結部材による固定前にアース端子及び端子保持部に設けられた係止部を取付対象物に係止させてより確実に仮固定することができるので、締結部材を用いて固定するときの作業性をより良好にすることができる。
【００１４】
請求項４に記載された発明によれば、前記電線接続部が前記ワイヤハーネスの長手方向に沿って延びている。このことから、電線接続部と接続されるアース線の端部がワイヤハーネスの長手方向に沿うこととなり、アース端子の電線接続部に接続するためにアース線の端部を屈曲させる必要がない。従って、アース線の電線長の公差が少なくなり、製造管理性を向上させることができる。また、電線接続部が端子保持部のワイヤハーネスの長手方向における両端部から前記長手方向に沿って延びて形成されることにより、挿通方向への移動を規制することができる。
【図面の簡単な説明】
【００１５】
【図１】本発明の一実施形態にかかるアース端子ユニットを示す斜視図である。
【図２】図１に示されたアース端子ユニットにおけるアース端子を示す図である。
【図３】図１に示されたアース端子ユニットにおける端子保持部材を示す図である。
【図４】図１に示されたアース端子ユニットの矢視ＩＶ−ＩＶ線断面において、取付対象に固定された状態を説明する図であり、ワイヤハーネスを省略して示す図である。
【図５】図１に示されたアース端子ユニットの組み立て方法を説明する図である。
【図６】図３に示された端子保持部材の変形例を示す図である。
【図７】図６に示された端子保持部材の変形例をアース端子の挿通方向から見た図である。
【図８】従来のアース端子ユニットを示す斜視図である。
【発明を実施するための形態】
【００１６】
本発明の一実施形態にかかるアース端子ユニットを図１〜図５を参照して説明する。
【００１７】
本実施形態のアース端子ユニット１０は、ワイヤハーネスＷが有するアース線Ｅの中間部を車体（不図示）の金属パネルＧ（請求項の「取付対象物」に相当する）に接続するとともに、ワイヤハーネスＷを当該金属パネルＧに取り付けるために用いられるものである。
【００１８】
アース端子ユニット１０は、図１に示すように、アース端子２０と、ワイヤハーネスＷに取り付けられるとともにアース端子２０を保持する端子保持部材３０と、を備えている。なお、本実施形態における上下方向は図１の紙面における上下方向と同じ方向である。
【００１９】
図４に示すように、金属パネルＧには、締結部材としてのアースボルトＢが螺合されるボルト挿通孔Ｇ１と、後述する端子側係止部２１３が係止する端子側係止孔Ｇ２と、後述するクランプ部３３が係止するクランプ孔Ｇ３と、が設けられている。ボルト挿通孔Ｇ１の縁はアースボルトＢの挿通方向（下方向）に突出しており、その内周面にはアースボルトＢが螺合可能にねじ切り加工が施されている。なお、ボルト挿通孔Ｇ１は挿通方向に突出していない単なる貫通孔であってもよく、その場合には、ナット等を用いることによりアースボルトＢを締結することができる。
【００２０】
アース端子２０は、第一アース端子２１と、第二アース端子２２と、を有して構成されている。
【００２１】
図２に示すように、第一アース端子２１は、平面視略Ｌ字状に屈曲された帯板状の金属片である。第一アース端子２１におけるＬ字の一方の辺に相当する部分が、アースボルトＢにより金属パネルＧに固定される被固定部２１１となり、Ｌ字の他方の辺に相当する部分が、被固定部２１１に連なり、アース線Ｅと接続される電線接続部２１２となる。また、第一アース端子２１には、被固定部２１１の先端から突出して設けられ、金属パネルＧの端子側係止孔Ｇ２に係止する端子側係止部２１３（請求項の「係止部」に相当する）が設けられている。被固定部２１１には、アースボルトＢが挿通されるボルト挿通孔２１１ａが設けられている。電線接続部２１２は、ワイヤハーネスＷの中間部においてアース線Ｅ（具体的には、アース線Ｅを切断してできた端部）がかしめられて接続されるかしめ部２１２ａが設けられている。電線接続部２１２は、ワイヤハーネスＷの長手方向に沿うようにしてアース線Ｅがかしめられる。
【００２２】
第二アース端子２２は、平面視略Ｌ字状に屈曲された帯板状の金属片である。第二アース端子２２におけるＬ字の一方の辺に相当する部分が、アースボルトＢにより金属パネルＧに固定される被固定部２２１となり、Ｌ字の他方の辺に相当する部分が、被固定部２２１に連なり、アース線Ｅと接続される電線接続部２２２となる。被固定部２２１には、アースボルトＢが挿通されるボルト挿通孔２２１ａが設けられている。電線接続部２２２は、アース線Ｅがかしめられて接続されるかしめ部２２２ａが設けられている。電線接続部２２２は、ワイヤハーネスＷの長手方向に沿うようにしてアース線がかしめられる。第二アース端子２２は、被固定部２２１を第一アース端子２１の被固定部２１１と先端を同一方向に向けて平行に配置したとき（図２）、電線接続部２２２が電線接続部２１２と反対方向に延在するように形成されている。
【００２３】
アース端子２０は、第一アース端子２１の被固定部２１１の上に第二アース端子２２の被固定部２２１が重ねられた状態で、車体の金属パネルＧに固定される。このとき、第一アース端子２１と第二アース端子２２とは、第一アース端子２１のボルト挿通孔２１１ａと第二アース端子２２のボルト挿通孔２２１ａとが重なり、第一アース端子２１と第二アース端子２２とが重ねられた状態でアースボルトＢを挿通することができる。
【００２４】
端子保持部材３０は、図３に示すように、ワイヤハーネス支持部３１と、端子保持部３２と、クランプ部３３（請求項の「係止部」に相当する）と、を一体に有している。
【００２５】
ワイヤハーネス支持部３１は、平面視矩形状の平板状に形成され、一方の面３１ａをワイヤハーネスＷの外周面に重ねて取り付けられる。
【００２６】
端子保持部３２は、アース端子２０を保持するときに、ワイヤハーネスＷに対して被固定部２１１、２２１が突出するように構成されている。本実施形態において、端子保持部３２は、ワイヤハーネス支持部３１におけるアース端子２０の挿通方向に相対する一対の辺のうちの一方の中央部から突出する底壁部３２１と、底壁部３２１と上下方向に相対する上壁部３２２と、上壁部３２２から下方向に延びて底壁部３２１と連なる一対の側壁部３２３と、からなる角筒状に形成されている。端子保持部３２には、アース端子２０の被固定部２１１、２２１が挿通される空間Ｓが設けられている。これにより、端子保持部３２は、被固定部２１１、２２１を挿通可能な空間Ｓを画定し、かつ、空間Ｓへの被固定部２１１、２２１に続く電線接続部２１２、２２２の挿通を規制する。すなわち、この空間Ｓにおける上記突出方向と直交する方向の幅がアース端子２０の被固定部２１１及び２２１の幅と略同一にされているので、被固定部２１１、２２１を挿通して、そのあと、電線接続部２１２、２２２を挿通しようとすると、電線接続部２１２、２２２が側壁部３２３に突き当たって挿通が規制される。また、端子保持部３２は、空間Ｓ内に挿通された被固定部２１１、２２１を保持して、当該被固定部２１１、２２１の底壁部３２１から離れる方向（上方向）への移動を規制する。
【００２７】
なお、本実施形態においては、端子保持部３２が底壁部３２１と上壁部３２２と側壁部３２３とから構成されていたが、空間Ｓを形成して被固定部２１１、２２１の挿通を許容し、かつ、電線接続部２１２、２２２の挿通を規制するように構成されていればよい。例えば、図６、図７に示す端子保持部材３０Ａのように、上壁部３２２の一部がアース端子２０の挿通方向に切り欠かれて一対の側壁部３２３にそれぞれ庇状に連なるように構成されていてもよい。
【００２８】
クランプ部３３は、図１、図３、図４に示すように、ワイヤハーネス支持部３１におけるワイヤハーネスＷを支持する一方の面３１ａとは反対側の他方の面３１ｂから法線方向に突出して設けられる軸部３３１と、軸部の先端に連なる一対の返し部３３２と、から形成されている。返し部３３２は、軸部３３１の先端３３１ａから基端３３１ｂに近づくに従って互いの間隔が広がるように形成されている。また、返し部３３２は、弾性変形可能に形成され、クランプ孔Ｇ３に挿通可能、かつ、クランプ部３３がクランプ孔Ｇ３に挿通された状態においてクランプ孔Ｇ３に係止する。
【００２９】
次に、アース端子ユニット１０を用いてアース端子２０を車体の金属パネルＧに固定する方法について図４、図５を参照して説明する。
【００３０】
まず、図５（Ａ）に示すように、第一アース端子２１、第二アース端子２２の電線接続部２１２、２２２のかしめ部２１２ａ、２２２ａにアース線Ｅの端部をかしめて、ジョイントテープＪを巻いて固定する。次に、図５（Ｂ）に示すように、アース線Ｅと、ワイヤハーネスＷのアース線Ｅ以外の電線Ｃ（幹線）とを合わせて、アース線Ｅと電線Ｃとを合わせた外周に保護材Ｐを取り付ける。このとき、第一アース端子２１の被固定部２１１及び第二アース端子２２の被固定部２２１を重ねて配置し、電線接続部２１２、２２２のかしめ部２１２ａ、２２２ａを保護材Ｐで被覆する。さらに、図５（Ｃ）に示すように、端子保持部材３０の端子保持部３２の空間Ｓに、被固定部２１１、２２１を重ねた状態でそれらを先頭にしてワイヤハーネス支持部３１側から挿通する。このとき、電線接続部２１２、２２２が空間Ｓの幅を超えてワイヤハーネスＷの長手方向に沿って延びていることから、これら電線接続部２１２、２２２が、端子保持部３２の一対の側壁部３２３に突き当り、挿通方向（図５における紙面上方向）への移動が規制される。そして、ワイヤハーネス支持部３１の長手方向両端部と保護材ＰとをテープＴで巻きつけて互いに固定する。このようにしてワイヤハーネスＷにアース端子ユニット１０が取り付けられる。
【００３１】
ワイヤハーネスＷにアース端子ユニット１０が取り付けられたのち、図４に示すように、端子側係止部２１３を金属パネルＧの端子側係止孔Ｇ２に係止し、端子保持部材３０のクランプ部３３をクランプ孔Ｇ３に係止する。これにより、ワイヤハーネスＷに取り付けられたアース端子ユニット１０が車体の金属パネルＧに仮固定される。最後に、図４、図５（Ｄ）に示すように、アース端子２０のボルト挿通孔２１１ａ、２２１ａ及び金属パネルＧのボルト挿通孔Ｇ１にアースボルトＢを挿通させて螺合により締結し、アース端子２０を車体の金属パネルＧに固定する。以上によりアース端子２０の車体の金属パネルＧへの固定が完了する。
【００３２】
本実施形態によれば、アース端子２０が、アースボルトＢにより車体の金属パネルＧに固定される被固定部２１１、２２１を有し、端子保持部材３０が、ワイヤハーネスＷの外周面に取り付けられるワイヤハーネス支持部３１と、ワイヤハーネスＷに対して被固定部２１１、２２１が突出するようにアース端子２０を保持する端子保持部３２と、を一体に有し、アース端子２０及び端子保持部材３０には、金属パネルＧに係止する端子側係止部２１３及びクランプ部３３がそれぞれ設けられている。このことから、アース端子２０を金属パネルＧに取り付けるときに、アースボルトＢによる固定前にクランプ部３３を金属パネルＧに係止させて仮固定することができので、ワイヤハーネスＷを手などで保持しておく必要がなくなり、そのため、アースボルトＢを用いて固定するときの作業性を良好にすることができる。また、アース端子ユニット１０を金属パネルＧに係止させることができるので、アースボルトＢによりアース端子２０を金属パネルＧに固定するときにアース端子ユニット１０に力が加わった場合でも、アース端子ユニット１０が移動してしまうことを防止することができる。
【００３３】
また、アース端子２０には係止部としての端子側係止部２１３が設けられ、端子保持部材３０には係止部としてのクランプ部３３がそれぞれ設けられている。すなわち、係止部がアース端子２０及び端子保持部材３０の両方に設けられている。このことから、アース端子２０を金属パネルＧに取り付けるときに、アースボルトＢによる固定前に端子側係止部２１３及びクランプ部３３を金属パネルＧに係止させてより確実に仮固定することができるので、アースボルトＢを用いて固定するときの作業性をより良好にすることができる。
【００３４】
また、アース端子２０が、被固定部２１１、２２１に連なり、かつ、アース線Ｅと接続される電線接続部２１２、２２２をさらに有し、端子保持部３２が、被固定部２１１、２２１を挿通可能な空間Ｓを画定し、かつ、空間Ｓへの被固定部２１１、２２１に続く電線接続部２１２、２２２の挿通を規制する。このことから、アース端子２０の被固定部２１１、２２１をワイヤハーネス支持部３１の空間Ｓに挿通するときに、アース端子２０が挿通方向（図５における紙面上方向）及びワイヤハーネス支持部３１から離れる方向（上方向）に移動して抜け落ちてしまうことを防止することができ、アース端子２０を所定の位置に位置付けやすくすることができる。
【００３５】
また、電線接続部２１２、２２２がワイヤハーネスＷの長手方向に沿って延びている。このことから、電線接続部２１２、２２２と接続されるアース線Ｅの端部がワイヤハーネスＷの長手方向に沿うこととなり、アース端子２０の電線接続部２１２、２２２に接続するためにアース線Ｅの端部を屈曲させる必要がない。従って、アース線Ｅの電線長の公差が少なくなり、製造管理性を向上させることができる。また、電線接続部２１２、２２２が端子保持部３２のワイヤハーネスＷの長手方向における両端部から長手方向に沿って延びて形成されていることにより、挿通方向（図５における紙面上方向）への移動を規制することができる。
【００３６】
なお、本発明は、前記実施形態に限定されるものではなく、本発明の目的が達成できる他の構成等を含み、以下に示すような変形例等も本発明に含まれる。
【００３７】
本実施形態においては、係止部として端子側係止部２１３とクランプ部３３とが設けられていたが、アース端子ユニット１０を金属パネルＧに仮固定することができればよく、端子側係止部２１３とクランプ部３３とのいずれか一方が設けられた構成であってもよい。また、クランプ部３３は、ワイヤハーネス支持部３１のワイヤハーネスＷを支持する一方の面３１ａとは反対側の面３１ｂに設けられていたが、本発明における係止部は、本実施形態のクランプ部３３の形状に限定されず、車体の金属パネルＧに係止する形状であればどのような形状でもよい。また、ワイヤハーネス支持部３１のワイヤハーネスＷを支持する一方の面３１ａとは反対側の他方の面３１ｂに限定されず、例えば、ワイヤハーネスＷを支持する一方の面３１ａから他方の面３１ｂ側に回り込むように延びて形成されていてもよい。また、係止部がアース端子２０、端子保持部材３０において複数箇所に設けられていてもよい。
【００３８】
また、本実施形態においては、電線接続部２１２、２２２が空間Ｓの幅を超えてワイヤハーネスＷの長手方向に沿って延びることにより、電線接続部２１２、２２２が、端子保持部３２の一対の側壁部３２３に突き当り、挿通方向への移動が規制されていたが、電線接続部２１２、２２２の空間Ｓへの挿通が規制されるように構成されていればよく、第一アース端子２１及び第二アース端子２２の形状は本実施形態の形状に限定されない。例えば、電線接続部２１２、２２２の厚みが空間Ｓの高さよりも大きく形成されることにより、電線接続部２１２、２２２が端子保持部３２の一対の上壁部３２２に突き当り、電線接続部２１２、２２２の挿通方向への移動が規制されてもよい。
【００３９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００４０】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４１】
１０      アース端子ユニット
２０      アース端子
３０      端子保持部材
３１      ワイヤハーネス支持部
３２      端子保持部
３３      クランプ部（係止部）
２１１、２２１    被固定部
２１２、２２２    電線接続部
２１３            端子側係止部（係止部）
Ｗ        ワイヤハーネス
Ｅ        アース線
Ｂ        アースボルト（締結部材）
Ｇ        金属パネル（取付対象物）
Ｓ        空間
【図１】
0006322105.tif 000002
【図２】
0006322105.tif 000003
【図３】
0006322105.tif 000004
【図４】
0006322105.tif 000005
【図５】
0006322105.tif 000006
【図６】
0006322105.tif 000007
【図７】
0006322105.tif 000008
【図８】
0006322105.tif 000009